(57)【特許請求の範囲】
【請求項１】
第１及び第２の外部接続端子間に接続されたインダクタとスイッチング素子との直列回路と、前記インダクタ及び前記スイッチング素子の接続点にアノードが接続されるとともに、第３の外部接続端子にカソードが接続されたダイオードと、前記スイッチング素子の制御端子に接続された第４の外部接続端子とをそれぞれ具備した回路モジュールを複数組み合わせて構成され、電源電圧を所望の電圧に変換して負荷へ出力することを特徴とする電源装置。
【請求項２】
前記回路モジュールは、前記インダクタ及び前記ダイオードの接続点に接続された第５の外部接続端子を備えることを特徴とする請求項１記載の電源装置。
【請求項３】
前記回路モジュールは、前記第４の外部接続端子と前記制御端子の間に接続され、前記第４の外部接続端子に外部から入力される制御信号に応じて前記スイッチング素子をオン／オフさせる駆動回路を備えたことを特徴とする請求項１記載の電源装置。
【請求項４】
前記回路モジュールは第６乃至第１０の外部接続端子のうち少なくとも１つを備え、
前記第６の外部接続端子は、前記ダイオードのカソードに一端が接続されるコンデンサの他端に接続され、
前記第７の外部接続端子は、前記インダクタの二次側に設けられ一端が前記第２の外部接続端子に接続された二次巻線の他端に接続され、
前記第８の外部接続端子は、前記スイッチング素子と前記第２の外部接続端子の間に接続された第１の抵抗における前記スイッチング素子側の端子に接続され、
前記第９の外部接続端子は、前記第１の外部接続端子と前記第２の外部接続端子の間に直列接続された第２の抵抗と第３の抵抗との接続点に接続され、
前記第１０の外部接続端子は、前記第３の外部接続端子と前記第２の外部接続端子の間に直列接続された第４の抵抗と第５の抵抗との接続点に接続されることを特徴とする請求項１乃至３の何れかに記載の電源装置。
【請求項５】
前記回路モジュールが、電源側に接続される第１回路モジュールと、前記第１回路モジュールよりも負荷側に接続される第２回路モジュールを含み、前記第１回路モジュールが備える前記スイッチング素子のオン／オフを制御する第１制御回路と、前記第２回路モジュールが備える前記スイッチング素子のオン／オフを制御する第２制御回路を備えたことを特徴とする請求項１乃至４の何れかに記載の電源装置。
【請求項６】
Ｎ個（Ｎは２以上の整数）の前記回路モジュールが並列的に接続されており、
各々の前記回路モジュールが備えるスイッチング素子のオン／オフを制御する制御回路を備え、
前記制御回路は、各々の前記回路モジュールが備える前記スイッチング素子について、スイッチングの位相を（３６０／Ｎ）度ずつ、ずらしたことを特徴とする請求項１乃至５の何れかに記載の電源装置。
【請求項７】
前記回路モジュールが、電源側に接続される第１回路モジュールと、前記第１回路モジュールよりも負荷側に接続される第２回路モジュールを含み、
前記第１回路モジュールが備える前記第１の外部接続端子と前記第２の外部接続端子間に入力電源を接続し、前記第２回路モジュールが備える前記第３の外部接続端子と前記第１の外部接続端子間に負荷を接続するとともに、前記第１、第２回路モジュールが備える前記第３の外部接続端子同士を接続し、且つ、前記第１、第２回路モジュールが備える前記第２の外部接続端子同士を接続したことを特徴とする請求項１乃至６の何れかに記載の電源装置。
【請求項８】
前記負荷が固体発光素子であることを特徴とする請求項１乃至７の何れかに記載の電源装置。
【請求項９】
請求項１乃至８の何れかに記載の電源装置を備えたことを特徴とする照明器具。
【発明の詳細な説明】
【技術分野】
【０００１】
本発明は、電源装置及びそれを用いた照明器具に関するものである。
【背景技術】
【０００２】
従来、ＬＥＤ（発光ダイオード）を点灯させる点灯装置として、ＬＥＤ素子からなる負荷回路をモジュール化したものがある（例えば特許文献１参照）。
【０００３】
図１３は上記特許文献１に開示された点灯装置の回路図である。この点灯装置は整流ブリッジ１０１と定電流電源回路１０２とＬＥＤモジュール１０３とで構成される。整流ブリッジ１０１は、交流電源１００の交流電圧を全波整流して定電流電源回路１０２に出力する。定電流電源回路１０２は、整流ブリッジ１０１の整流出力を平滑する平滑コンデンサ１０５と、直流電圧変換回路１０６と、電流検出手段１０７を備える。この定電流電源回路１０２では、整流ブリッジ１０１の整流出力を平滑コンデンサ１０５で平滑した後、ＬＥＤモジュール１０３に定電流が流れるようにＬＥＤモジュール１０３への出力電圧を直流電圧変換回路１０６が調整している。
【先行技術文献】
【特許文献】
【０００４】
【特許文献１】特開２００５−１４２１３７号公報
【発明の概要】
【発明が解決しようとする課題】
【０００５】
上記特許文献１に開示された電源装置では、例えば使用用途に応じて必要な個数だけＬＥＤ素子を実装基板に実装することでＬＥＤモジュール１０３を構成しており、そのため、ＬＥＤ素子の個数が異なる複数種類のＬＥＤモジュール１０３が存在する。ここで、ＬＥＤ素子の個数が異なる複数種類のＬＥＤモジュール１０３に対して１つの定電流電源回路１０２で対応できるのは、電源容量が負荷容量よりも大きい場合である。電源容量が負荷容量よりも小さい場合には、不足分を補うために定電流電源回路１０２を追加したり、定電流電源回路１０２の回路構成を変更する必要があり、回路部品の共通化が図りにくいという問題があった。また直流電圧変換回路１０６として、昇圧チョッパ、降圧チョッパ、昇降圧チョッパといった様々な回路が存在するため、回路部品の共通化が図りにくいという問題もあった。
【０００６】
本発明は上記課題に鑑みて為されたものであり、その目的とするところは、回路部品の共通化を図ることで、回路部品の種類を削減した電源装置及びそれを用いた照明器具を提供することにある。
【課題を解決するための手段】
【０００７】
上記課題を解決するために、本発明の電源装置は、回路モジュールを複数組み合わせて構成され、電源電圧を所望の電圧に変換して負荷へ出力することを特徴とする。各回路モジュールは第１〜第４の外部接続端子を備える。第１及び第２の外部接続端子間にはインダクタとスイッチング素子との直列回路が接続される。インダクタ及びスイッチング素子の接続点にはダイオードのアノードが接続され、ダイオードのカソードは第３の外部接続端子に接続される。第４の外部接続端子にはスイッチング素子の制御端子が接続されている。
【０００８】
この電源装置において、回路モジュールが、インダクタ及びダイオードの接続点に接続された第５の外部接続端子を備えることも好ましい。
【０００９】
この電源装置において、回路モジュールが、第４の外部接続端子と制御端子の間に接続され、第４の外部接続端子に外部から入力される制御信号に応じてスイッチング素子をオン／オフさせる駆動回路を備えることも好ましい。
【００１０】
この電源装置において、回路モジュールが第６乃至第１０の外部接続端子のうち少なくとも１つを備えることも好ましい。第６の外部接続端子は、ダイオードのカソードに一端が接続されるコンデンサの他端に接続される。第７の外部接続端子は、インダクタの二次側に設けられ一端が第２の外部接続端子に接続された二次巻線の他端に接続される。第８の外部接続端子は、スイッチング素子と第２の外部接続端子の間に接続された第１の抵抗におけるスイッチング素子側の端子に接続される。第９の外部接続端子は、第１の外部接続端子と第２の外部接続端子の間に直列接続された第２の抵抗と第３の抵抗との接続点に接続される。第１０の外部接続端子は、第３の外部接続端子と第２の外部接続端子の間に直列接続された第４の抵抗と第５の抵抗との接続点に接続される。
【００１１】
この電源装置において、回路モジュールが、電源側に接続される第１回路モジュールと、第１回路モジュールよりも負荷側に接続される第２回路モジュールを含み、第１制御回路および第２制御回路を備えることも好ましい。第１制御回路は、第１回路モジュールが備えるスイッチング素子のオン／オフを制御する。第２制御回路は、第２回路モジュールが備えるスイッチング素子のオン／オフを制御する。
【００１２】
この電源装置において、Ｎ個（Ｎは２以上の整数）の回路モジュールが並列的に接続されている。そして、この電源装置は、各々の回路モジュールが備えるスイッチング素子のオン／オフを制御する制御回路を備え、制御回路は、各々の回路モジュールが備えるスイッチング素子について、スイッチングの位相を（３６０／Ｎ）度ずつ、ずらすことも好ましい。
【００１３】
この電源装置において、回路モジュールが、電源側に接続される第１回路モジュールと、第１回路モジュールよりも負荷側に接続される第２回路モジュールを含み、第１回路モジュールが備える第１の外部接続端子と第２の外部接続端子間に入力電源を接続し、第２回路モジュールが備える第３の外部接続端子と第１の外部接続端子間に負荷を接続するとともに、第１、第２回路モジュールが備える第３の外部接続端子同士を接続し、且つ、第１、第２回路モジュールが備える第２の外部接続端子同士を接続したことも好ましい。
【００１４】
この電源装置において、負荷が固体発光素子であることも好ましい。
【００１５】
本発明の照明器具は、上述した何れかの電源装置を備えることを特徴とする。
【発明の効果】
【００１６】
本発明の電源装置によれば、同じ回路構成を有する回路モジュールを複数組み合わせて構成されているので、回路モジュールの共通化を図ることで、電源装置を構成する回路部品の種類を削減することができる。
【００１７】
また本発明の照明器具によれば、回路部品の共通化を図ることで、回路部品の種類を削減した照明器具を提供できる。
【図面の簡単な説明】
【００１８】
【図１】（ａ）は実施形態１の電源装置のブロック図、（ｂ）は電源装置に用いられる回路モジュールの回路図である。
【図２】同上の電源装置の回路図である。
【図３】実施形態２の電源装置の回路図である。
【図４】実施形態３の電源装置に用いられる回路モジュールの回路図である。
【図５】同上の電源装置に用いられる、別の回路モジュールの回路図である。
【図６】同上の電源装置に用いられる、また別の回路モジュールの回路図である。
【図７】実施形態４の電源装置のブロック図である。
【図８】同上の電源装置の回路図である。
【図９】（ａ）〜（ｇ）は同上の電源装置の各部の波形図である。
【図１０】同上の電源装置に用いられる回路モジュールの接続方法を説明する概略的な分解斜視図である。
【図１１】同上の電源装置のブロック図である。
【図１２】実施形態５の照明器具に電源装置を組み込む前の状態を示す外観斜視図である。
【図１３】従来の点灯装置の回路図である。
【発明を実施するための形態】
【００１９】
以下に本発明の実施の形態を図面に基づいて説明する。
【００２０】
（実施形態１）
本発明の実施形態１について図１〜図２を参照して説明する。
【００２１】
図１（ａ）に電源装置２の概略的なブロック図を示す。この電源装置２は、交流電源３から電源供給を受け、負荷回路４に応じた電圧、電流に変換し、負荷回路４に供給するものである。この電源装置２は複数の回路モジュール１ａ，１ｂ，…，１ｎを備え、複数の回路モジュール１ａ，１ｂ，…，１ｎの間を適宜接続することによって、所望の機能を有する回路が構成される。尚、複数の回路モジュール１ａ，１ｂ，…，１ｎは同様の構成を有しており、回路モジュール全般の説明を行う場合は回路モジュール１と表記し、個々の回路モジュールについて説明する場合は回路モジュール１ａ，１ｂ，…，１ｎと表記する。
【００２２】
図１（ｂ）は回路モジュール１の回路構成を示し、各回路モジュール１は、第１〜第５の外部接続端子（以下、外部接続端子と略称する。）Ｔ１〜Ｔ５とインダクタ１１とダイオード１２とスイッチング素子１３を主要な構成として備える。第１及び第２の外部接続端子Ｔ１，Ｔ２間にはインダクタ１１とスイッチング素子１３との直列回路が接続される。インダクタ１１及びスイッチング素子１３の接続点にはダイオード１２のアノードが接続され、ダイオード１２のカソードには第３の外部接続端子Ｔ３が接続されている。スイッチング素子１３は例えばＭＯＳ型電界効果トランジスタからなり、スイッチング素子１３の制御電極（ゲート電極）には第４の外部接続端子Ｔ４が接続されている。またインダクタ１１及びダイオード１２の接続点には第５の外部接続端子Ｔ５が接続されている。尚、第２の外部接続端子Ｔ２は入力側および出力側の回路が接続しやすいように、２端子構成とするのが好ましい。
【００２３】
このような回路モジュール１を最小単位とし、複数の回路モジュール１を用い、各回路モジュール１が備える外部接続端子Ｔ１〜Ｔ５の間を適宜接続することで、入力電源を所望の電圧、電流に変換して負荷回路４に供給することができる。尚、この回路モジュール１は、インダクタ１１及びダイオード１２の接続点に接続された外部接続端子Ｔ５を備えているが、少なくとも第１〜第４の外部接続端子Ｔ１〜Ｔ４を備えていればよい。
【００２４】
上述のように電源装置２は、同じ回路構成の回路モジュール１を複数組み合わせて構成されるので、電源装置２を構成する回路部品の種類を低減でき、回路構成が簡単になるとともに、部品の種類を削減することでコストダウンを図ることができる。
【００２５】
また電源装置２の主要部分は、基本的な回路構成をモジュール化した回路モジュール１を複数組み合わせて実現され、足りない部品を付加することによって電源装置２が構成される。すなわち、複数の回路モジュール１を組み合わせ、これに適宜必要な回路部品を追加することで、昇圧チョッパや降圧チョッパといった回路を実現できるから、別々の機能を実現する回路の主要部（回路モジュール１）を共通化することができる。また、回路モジュール１にわずかな回路部品を追加するだけで済むから、回路構成を簡略化できる。そして、個々の回路モジュール１が小型且つ薄型に実装できれば、電源装置２全体でも小型化や薄型化を実現できる。尚、各回路モジュール１は、それぞれ独立した回路基板に部品を実装して構成されており、同一の回路モジュール１を複数組み合わせて電源装置２を実現しているので、量産効果によって回路モジュール１の製造コストを低減することもできる。
【００２６】
また回路モジュール１として、入力側の第１回路モジュール１と出力側の第２回路モジュール１を備える場合に、第１回路モジュール１と第２回路モジュール１とで各回路部品の定数が同じ値となるように設計すれば、入力側（電源側）に接続される回路モジュール１と出力側（負荷側）に接続される回路モジュール１とを共通化することができ、更に量産効果を高めることができる。また、全ての回路モジュール１を１枚の基板上に組み込むことも可能であり、その場合は各々の回路モジュール１に外部接続端子を設けなくて済むから、電源装置の小型化を図ることができる。
【００２７】
次に、電源装置の具体構成を図２の回路図に基づいて説明する。この電源装置２は、整流器ＤＢ１と、上述の回路モジュール１ａ，１ｂと、コンデンサＣ１，Ｃ２と、制御回路５ａ，５ｂと、駆動回路６ａ，６ｂを主要な構成として備えている。
【００２８】
ここで、２つの回路モジュール１ａ，１ｂのうち、回路モジュール１ａにより電源側に接続される第１回路モジュールが、回路モジュール１ｂにより負荷側に接続される第２回路モジュールが構成される。
【００２９】
第１制御回路たる制御回路５ａは、回路モジュール１ａ（第１回路モジュール）のスイッチング素子１３ａをオン／オフさせる制御信号を出力する。第２制御回路たる制御回路５ｂは、回路モジュール１ｂ（第２回路モジュール）のスイッチング素子１３ｂをオン／オフさせる制御信号を出力する。駆動回路６ａ，６ｂは、それぞれ制御回路５ａ，５ｂからの制御信号に応じて、スイッチング素子１３ａ，１３ｂをオン／オフ駆動する。
【００３０】
整流器ＤＢ１はダイオードブリッジからなり、交流電源３を全波整流する。尚、図示は省略しているが、交流電源３と整流器ＤＢ１の間にはローパスフィルタが接続されるのが一般的であり、入力電流の高調波成分を除去している。
【００３１】
２個の回路モジュール１ａ，１ｂは直列的に接続されている。前段（電源側）の回路モジュール１ａでは、外部接続端子Ｔ１ａが整流器ＤＢ１の高圧側の直流出力端子に接続され、外部接続端子Ｔ２ａが整流器ＤＢ１の低圧側の直流出力端子に接続されている。また回路モジュール１ａの外部接続端子Ｔ３ａ，Ｔ２ａ間に電解コンデンサよりなる平滑コンデンサＣ１が接続され、外部接続端子Ｔ４ａには駆動回路６ａの出力端子が接続されている。ここで、前段の回路モジュール１ａから所謂昇圧チョッパが構成され、整流器ＤＢ１の整流出力を昇圧した略一定の直流電圧を発生する。
【００３２】
後段（負荷側）の回路モジュール１ｂでは、外部接続端子Ｔ３ｂ，Ｔ２ｂ間に平滑コンデンサＣ１が接続されている。また回路モジュール１ｂの外部接続端子Ｔ３ｂ，Ｔ１ｂ間には、電解コンデンサよりなるコンデンサＣ２と、２個の発光ダイオードが直列接続された負荷回路４ａがそれぞれ接続されている。また回路モジュール１ｂの外部接続端子Ｔ４ｂには駆動回路６ｂの出力端子が接続されている。ここで、後段の回路モジュール１ｂから所謂降圧チョッパが構成され、回路モジュール１ａの出力電圧を降圧した直流電圧を負荷回路４ａに出力する。
【００３３】
尚、回路モジュール１ａの外部接続端子Ｔ３ａ，Ｔ２ａ間、回路モジュール１ｂの外部接続端子Ｔ３ｂ，Ｔ２ｂ間には共にコンデンサＣ１が接続されているが、このコンデンサＣ１の静電容量を２分割し、予め各回路モジュール１ａ，１ｂの基板上に配置してもよい。すなわち、回路モジュール１ａでは外部接続端子Ｔ３ａ，Ｔ２ａの間に、回路モジュール１ｂでは外部接続端子Ｔ３ｂ，Ｔ２ｂの間に、それぞれ、静電容量がコンデンサＣ１の静電容量の約半分であるコンデンサが接続されることになる。
【００３４】
この電源装置の動作を以下に簡単に説明する。入力側の回路モジュール１ａでは、駆動回路６ａがスイッチング素子１３ａを高周波でオン／オフさせる。スイッチング素子１３ａのオン時には、交流電源３→整流器ＤＢ１→インダクタ１１ａ→スイッチング素子１３ａ→整流器ＤＢ１→交流電源３の経路で電流が流れ、インダクタ１１ａにエネルギが蓄積される。スイッチング素子１３ａのオフ時には、インダクタ１１ａ→ダイオード１２ａ→コンデンサＣ１→整流器ＤＢ１→インダクタ１１ａの経路で電流が流れ、オン時にインダクタ１１ａに蓄積されたエネルギが放出される。上記の動作が電源周期に応じて繰り返され、制御回路５ａではスイッチング周波数やオン時間を適宜調整することによって、コンデンサＣ１の両端間に略一定の直流電圧が発生する。
【００３５】
出力側の回路モジュール１ｂは、コンデンサＣ１の両端間に発生する略一定の直流電圧を電源として動作し、スイッチング素子１３ｂは駆動回路６ｂによって高周波でオン／オフされる。スイッチング素子１３ｂのオン時には、コンデンサＣ１→コンデンサＣ２→インダクタ１１ｂ→スイッチング素子１３ｂ→コンデンサＣ１の経路で電流が流れ、インダクタ１１ｂにエネルギを蓄積するとともに、コンデンサＣ２を充電する。スイッチング素子１３ｂのオフ時には、インダクタ１１ｂ→ダイオード１２ｂ→コンデンサＣ２→インダクタ１１ｂの経路で電流が流れ、オン時にインダクタ１１ｂに蓄積されたエネルギが放出される。上記の動作を繰り返すことによって、コンデンサＣ２の両端電圧は、コンデンサＣ１の両端電圧よりも低い一定電圧に制御される。その結果、コンデンサＣ２のプラス側→負荷回路４ａ→コンデンサＣ２のマイナス側の経路で負荷回路４ａに一定電流が流れ続けることになり、均一な光出力を得ることができる。
【００３６】
ここで、インダクタ１１ａ，１１ｂ、ダイオード１２ａ，１２ｂ、スイッチング素子１３ａ，１３ｂにそれぞれ同じ部品を採用すれば、入力側および出力側の回路モジュール１ａ，１ｂを同じものにでき、電源装置２を構成する回路部品の種類を削減できる。また入力側の回路モジュール１ａからなる昇圧チョッパで定電圧制御を行い、出力側の回路モジュール１ｂからなる降圧チョッパで定電流制御を行うことによって、入力電流を正弦波状にして入力電流歪みを低減することができる。また、電源電圧が変動した場合でも、昇圧チョッパにより出力電圧が一定値に制御されるから、負荷回路４ａへの出力電流を略一定に制御でき、均一な光出力を得ることができる。
【００３７】
また本実施形態の電源装置２は、複数の回路モジュール（電源側の第１回路モジュール１ａと負荷側の第２回路モジュール１ｂ）を接続して構成されており、定電圧制御を行う回路モジュール１ａと、定電流制御を行う回路モジュール１ｂを別々に備えている。そして、各々の回路モジュール１ａ，１ｂについて、スイッチング素子１３ａ，１３ｂを制御する制御回路５ａ，５ｂがそれぞれ設けられているので、定電圧制御と定電流制御を独立して制御することができる。よって、入力側の回路モジュール１ａ及びその制御回路５ａと、出力側の回路モジュール１ｂ及びその制御回路５ｂを、定電圧制御のための回路と定電流制御のための回路とに機能を分離することができる。尚、図２の回路では、各回路モジュール１ａ，１ｂが第２の外部接続端子Ｔ２ａ，Ｔ２ｂを２個ずつ備えているが、回路モジュール１ａ，１ｂを実装する装置内で入力側及び出力側の回路が接続可能であれば、各回路モジュール１ａ，１ｂには第２の外部接続端子Ｔ２ａ，Ｔ２ｂを１端子のみとしてもよく、この場合は端子数が減ることでコストダウンを図ることができる。
【００３８】
また、２つの制御回路５ａ，５ｂで発振器を共用するなどすれば、回路構成をさらに簡略化できる。
【００３９】
また、図２の電源装置では、各回路モジュール１ａ，１ｂに設けられた第５の外部接続端子Ｔ５ａ，Ｔ５ｂを回路間の接続に使用していないが、この外部接続端子Ｔ５ａ，Ｔ５ｂを用いてインダクタ、ダイオード、スイッチング素子と並列に回路部品を追加できる。例えば外部接続端子Ｔ５ａ，Ｔ１ａ間に別のインダクタを、外部接続端子Ｔ５ａ，Ｔ３ａ間に別のダイオードを、外部接続端子Ｔ５ａ，Ｔ２ａ間に別のスイッチング素子を接続することで、回路モジュール１ａ自体を変更することなく、後から回路部品を並列的に追加できる。これにより、電流容量を増やしたい場合には、インダクタ１１ａと並列に別のインダクタ（図示せず）を接続して電流を分流させるとともに、スイッチング素子１３ａと並列に別のスイッチング素子（図示せず）を接続して電流を分流させればよい。
【００４０】
このように、第５の外部接続端子Ｔ５ａ，Ｔ５ｂを用いて、後からインダクタ、ダイオード又はスイッチング素子と並列的に回路部品を追加できるから、回路モジュール１を構成するインダクタ、ダイオード又はスイッチング素子の定格容量を小さくでき、回路モジュール１のコストダウンを図ることができる。そして、定格容量を増やす場合には、インダクタ、ダイオード又はスイッチング素子と並列的に回路部品を追加することで容易に対応できる。
【００４１】
（実施形態２）
本発明の実施形態２を図３に基づいて説明する。尚、電源装置２の構成は実施形態１と略同様であるので、共通する構成要素には同一の符号を付して、その説明は省略する。
【００４２】
電源装置２は２つの回路モジュール１ａ，１ｂを備え、入力側（電源側）の第１回路モジュール１ａで昇圧チョッパを構成し、出力側（負荷側）の回路モジュール１ｂで降圧チョッパを構成している。
【００４３】
回路モジュール１ａ，１ｂの基本的な構成は実施形態１で説明したものと同様であるが、本実施形態では各回路モジュール１ａ，１ｂにおいて回路動作を検出するための検出点を増やしてある。
【００４４】
回路モジュール１ａは、実施形態１の構成に加えて、インダクタ１１ａに磁気結合された二次巻線１４ａを備え、この二次巻線１４ａの一端を第２の外部接続端子Ｔ２ａに接続するとともに、二次巻線１４ａの他端を第７の外部接続端子Ｔ７ａに接続してある。また回路モジュール１ａは、スイッチング素子１３ａのソースと外部接続端子Ｔ２ａの間に接続される第１の抵抗１５ａを備えるとともに、抵抗１５ａにおけるスイッチング素子１３ａ側の端子に接続された第８の外部接続端子Ｔ８ａを備えている。また回路モジュール１ａは、外部接続端子Ｔ１ａと外部接続端子Ｔ２ａの間に接続された第２の抵抗１６ａと第３の抵抗１７ａの直列回路を備えるとともに、抵抗１６ａ，１７ａの接続点に接続された第９の外部接続端子Ｔ９ａを備えている。また回路モジュール１ａは、外部接続端子Ｔ３ａと外部接続端子Ｔ２ａの間に接続された第４の抵抗１８ａと第５の抵抗１９ａの直列回路を備えるとともに、抵抗１８ａ，１９ａの接続点に接続された第１０の外部接続端子Ｔ１０ａを備えている。この回路モジュール１ａの外部接続端子Ｔ１ａ，Ｔ２ａ間には整流器ＤＢ１の直流出力端子が接続され、外部接続端子Ｔ３ａ，Ｔ２ａの間にコンデンサＣ１が接続されている。第６〜第１０の外部接続端子Ｔ６ａ〜Ｔ１０ａの信号は、回路モジュール１ａの動作を制御する制御回路５ａに入力されており、外部接続端子Ｔ１０ａの信号は、回路モジュール１ｂの動作を制御する制御回路５ｂにも入力されている。
【００４５】
また回路モジュール１ｂは、実施形態１の構成に加えて、インダクタ１１ｂに磁気結合された二次巻線１４ｂを備え、この二次巻線１４ｂの一端を第２の外部接続端子Ｔ２ｂに接続するとともに、二次巻線１４ｂの他端を第７の外部接続端子Ｔ７ｂに接続してある。また回路モジュール１ｂは、スイッチング素子１３ｂと外部接続端子Ｔ２ｂの間に接続される第１の抵抗１５ｂを備え、抵抗１５ｂにおけるスイッチング素子１３ｂ側の端子に接続された第８の外部接続端子Ｔ８ｂを備えている。また回路モジュール１ｂは、外部接続端子Ｔ１ｂと外部接続端子Ｔ２ｂの間に接続された第２の抵抗１６ｂと第３の抵抗１７ｂの直列回路を備えるとともに、抵抗１６ｂ，１７ｂの接続点に接続された第９の外部接続端子Ｔ９ｂを備えている。この回路モジュール１ｂでは、第２の外部接続端子Ｔ２ｂに加えて、第３の外部接続端子Ｔ３ｂも２端子構成としてある。そして、回路モジュール１ｂの外部接続端子Ｔ３ｂ，Ｔ２ｂ間にコンデンサＣ１が接続されるとともに、外部接続端子Ｔ３ｂ，Ｔ１ｂ間にコンデンサＣ２と負荷回路４ｂを並列接続してある。第６〜第９の外部接続端子Ｔ６ａ〜Ｔ９ａの信号は、回路モジュール１ｂの動作を制御する制御回路５ｂに入力されている。
【００４６】
この電源装置２の動作は、実施形態１で説明した電源装置２と同様であるので、その動作について詳細な説明は省略する。この電源装置２では、入力側の回路モジュール１ａからなる昇圧チョッパで定電圧制御を行い、出力側の回路モジュール１ｂからなる降圧チョッパで定電流制御を行うことによって、入力電流を正弦波状にして入力電流歪みを低減している。また、電源電圧が変動した場合でも、昇圧チョッパにより出力電圧が一定値に制御されるから、負荷回路４ａへの出力電流を略一定に制御でき、均一な光出力を得ることができる。
【００４７】
また本実施形態では、実施形態１の電源装置に比べて、各回路モジュール１ａ，１ｂにおいて回路動作を検出するための検出点（第６〜第１０の外部接続端子）を追加してあるので、これらの検出点の検出信号に基づいて、より細かい制御を行うことができる。
【００４８】
例えば回路モジュール１ａでは、抵抗１６ａ，１７ａの両端間に整流器ＤＢ１の整流出力が印加され、抵抗１６ａ，１７ａの接続点には整流出力に比例した電圧が発生する。したがって、制御回路５ａでは、外部接続端子Ｔ９ａから入力された信号をもとに整流器ＤＢ１の出力電圧を検出でき、この出力電圧が予め設定した電圧以下であれば制御動作を停止する機能（この機能を低電圧停止機能と言う。）を設けることができる。また制御回路５ａでは、外部接続端子Ｔ９ａから入力される信号を、整流器ＤＢ１からの入力電流波形を正弦波状にするためのリファレンス電圧として利用することもできる。
【００４９】
また、スイッチング素子１３ａのソースに接続された抵抗１５ａの両端間には、スイッチング素子１３ａに流れる電流に比例した電圧が発生する。したがって、制御回路５ａでは、外部接続端子Ｔ８ａを介して入力される抵抗１５ａの両端電圧が所定の基準値を超えると、スイッチング素子１３ａをオフ制御することで、スイッチング素子１３ａに余分なストレスが加わるのを防止できる。また制御回路５ａでは、外部接続端子Ｔ８ａから入力される抵抗１５ａの両端電圧を、外部接続端子Ｔ７ａから入力される巻線電圧と組み合わせることで、インダクタ１１ａに流れる電流を後述の臨界モードに制御でき、回路効率を向上させることができる。
【００５０】
また制御回路５ａには、外部接続端子Ｔ７ａを介してインダクタ１１ａの二次巻線１４ａに発生する電圧が入力されており、この電圧信号からインダクタ１１ａに流れる電流を検出できる。これにより制御回路５ａでは、スイッチング素子１３ａのオフ時にインダクタ１１ａに流れる電流がゼロになった時点を、外部接続端子Ｔ７ａの信号から検出できる。制御回路５ａでは、インダクタ１１ａに流れる電流がゼロになるタイミングでスイッチング素子１３ａをオンさせることによって、インダクタ１１ａに流れる電流を臨界モードに維持でき、インダクタ１１ａに電流が流れない期間が発生する不連続モードに比べて、入力電流のピーク値を低減できる。また、電源装置２の起動後において制御回路５ａの動作電源を、外部接続端子Ｔ７ａから入力される二次巻線１４ａの電圧から得ることもできる。
【００５１】
また抵抗１８ａ，１９ａの両端間にはコンデンサＣ１の両端電圧が印加されるため、抵抗１８ａ，１９ａの接続点にはコンデンサＣ１の両端電圧に比例した電圧が発生する。したがって、制御回路５ａでは、外部接続端子Ｔ１０ａを介して入力される抵抗１９ａの両端電圧が略一定となるように、スイッチング素子１３ａのオンデューティを制御することで、コンデンサＣ１の両端電圧を一定値に制御することができる。すなわち回路モジュール１ａを昇圧チョッパとして使用する場合に、制御回路５ａでは、外部接続端子Ｔ１０ａから入力される電圧をもとに出力電圧を検出でき、定電圧制御のためのフィードバック信号として利用できる。また制御回路５ａでは、抵抗１８ａの両端電圧が所定の基準値を超えるとスイッチング素子１３ａをオフさせており、外部接続端子Ｔ１０ａから入力される電圧信号を過電圧検出に利用できる。なお抵抗１８ａ，１９ａの両端電圧は回路モジュール１ｂの外部接続端子Ｔ３ｂ，Ｔ２ｂ間の電圧と同じになるので、本回路では外部接続端子Ｔ１０ａを介して入力される電圧信号を制御回路５ｂにも入力している。制御回路５ｂでは、外部接続端子Ｔ１０ａから入力される電圧信号が予め設定された基準値以下になると、スイッチング素子１３ｂをオフさせており、入力電圧が不足している状態で降圧チョッパが動作しないように制御できる。本回路では回路モジュール１ａの外部接続端子Ｔ１０ａから入力される電圧を、回路モジュール１ｂの入力電圧として制御回路５ｂに入力させることで、抵抗１８ａ，１９ａからなる分圧回路を両回路モジュール１ａ，１ｂで共用することができる。尚、回路モジュール１ａ，１ｂの構成を同じにするためには、回路モジュール１ｂ側でも外部接続端子Ｔ３ｂ，Ｔ２ｂの間に第２，第３の抵抗を直列に接続し、第２及び第３の抵抗の接続点に第１０の外部接続端子を接続すればよい。この場合は第１０の外部接続端子の信号を制御回路５ｂに入力させることができる。また、何れの回路モジュール１ａ，１ｂでも第３の外部接続端子と第２の外部接続端子の間に抵抗１８ａ，１９ａに相当する抵抗を接続せず、後付けでコンデンサＣ１と並列に分圧回路を接続し、その分圧電圧を制御回路５ａ，５ｂに入力させてもよい。
【００５２】
また、回路モジュール１ｂの動作を制御する制御回路５ｂでは、スイッチング素子１３ｂに直列に接続された抵抗１５ｂの両端電圧を、負荷に流れる電流を制御するのに利用することができる。また制御回路５ｂは、抵抗１５ｂの両端電圧からスイッチング素子１３ｂに流れる電流を検出し、この電流が一定値を超えるとスイッチング素子１３ｂをオフさせることで、抵抗１５ｂの両端電圧を異常状態の検出に利用することもできる。
【００５３】
また制御回路５ｂでは、インダクタ１１ｂの二次側に設けられた二次巻線１４ｂの両端電圧から、インダクタ１１ｂに流れる電流を検出でき、出力側においても臨界モードでスイッチング素子１３ｂを動作させることで、効率を向上させることができる。また二次巻線１４ｂの両端電圧から、制御回路５ｂを動作させるのに必要な電源の一部を得ることもできる。
【００５４】
また制御回路５ｂでは、外部接続端子Ｔ１ｂ，Ｔ２ｂ間に接続された抵抗１６ｂ，１７ｂの分圧電圧を、制御のためのフィードバックや、負荷回路の異常検出に利用することができる。
【００５５】
尚、本実施形態の回路モジュール１ａ又は１ｂでは、実施形態１の回路モジュール１に対し、検出点として第７〜第１０の外部接続端子Ｔ７〜Ｔ１０を追加してあるが、これらを全て追加する必要はなく、これらのうちの１乃至複数を追加しても良い。
【００５６】
（実施形態３）
本発明の実施形態３について図４〜図６に基づいて説明する。本実施形態の回路モジュール１は、実施形態１の電源装置を構成する回路モジュール１に、更に回路部品を追加したものである。尚、実施形態１で説明した回路モジュール１と共通する構成要素には、同一の符号を付して、その説明は省略する。
【００５７】
図４は回路モジュール１のみの回路図であり、スイッチング素子１３の制御端子（ゲート）と第４の外部接続端子Ｔ４の間に駆動回路６が接続されている。また、ダイオードＤ１のカソードにコンデンサ２０の一端を接続するとともに、コンデンサ２０の他端に第６の外部接続端子Ｔ６を接続してある。
【００５８】
この回路モジュール１では、駆動回路６も内蔵しているので、外部接続端子Ｔ６への入力信号は、制御のための小信号で済み、例えばマイコンなどから回路モジュール１を直接制御することが可能になる。
【００５９】
また、ダイオード１２のカソードに一端側が接続されたコンデンサ２０を他の回路要素には接続せず、外部接続端子Ｔ６のみに接続しているので、回路形態に応じて外部接続端子Ｔ６の接続先を変更することで、回路モジュール１としては共通のものを使用できる。
【００６０】
例えば回路モジュール１で昇圧チョッパを構成する場合は、第６の外部接続端子Ｔ６を第２の外部接続端子Ｔ２に接続すればよい。また回路モジュール１で降圧チョッパを構成する場合は、第６の外部接続端子Ｔ６を第１の外部接続端子Ｔ１に接続すればよい。このように回路モジュール１内にコンデンサ２０を予め接続しておくことで、部品の追加なしに、昇圧チョッパや降圧チョッパなどの電源回路を構成することができる。また入力側や出力側で全体の容量を増やす場合には入力側、出力側の回路モジュール１を増やすことになるが、回路モジュール１自体がコンデンサ２０を備えているので、入力側や出力側で全体の容量を増やす場合でも新たにコンデンサを追加する必要がない。ここで、昇圧チョッパとしての回路モジュール１の動作や、降圧チョッパとしての回路モジュール１の動作は実施形態１で説明したのと同様であるので、その説明は省略する。
【００６１】
尚、本実施形態では、実施形態１で説明した回路モジュール１に駆動回路６とコンデンサ２０を追加してあるが、何れか一方のみを追加するようにしてもよい。
【００６２】
また実施形態２で説明した回路モジュール１ａ，１ｂにおいて、スイッチング素子１３の制御端子（ゲート）と第４の外部接続端子Ｔ４の間に駆動回路６を接続しても良い。この場合、実施形態２で説明した回路モジュール１ａ，１ｂは、実施形態１の回路モジュール１に検出点として第７〜第１０の外部接続端子Ｔ７〜Ｔ１０を追加してあるが、これらの検出点を全て追加する必要はなく、それらの内の１乃至複数を追加しても良い。
【００６３】
例えば図５に示す回路モジュール１では、実施形態１の回路モジュール１に対して、スイッチング素子１３のゲートと外部接続端子Ｔ４の間に駆動回路６を接続するとともに、検出点として第７及び第８の外部接続端子Ｔ７，Ｔ８が設けられている。インダクタ１１の二次側に設けられた二次巻線１４の一端が外部接続端子Ｔ２に接続されるとともに、二次巻線１４の他端が外部接続端子Ｔ８に接続されている。また、スイッチング素子１３と外部接続端子Ｔ２の間に抵抗１５が接続されるとともに、スイッチング素子１３及び外部接続端子Ｔ２の接続点に外部接続端子Ｔ８が接続されている。
【００６４】
また、図６に示す回路モジュール１では、実施形態１の回路モジュール１に対して、スイッチング素子１３のゲートと外部接続端子Ｔ４の間に駆動回路６を接続するとともに、検出点として第９及び第１０の外部接続端子Ｔ９，Ｔ１０が設けられている。すなわち、この回路モジュール１では、外部接続端子Ｔ１，Ｔ２間に直列接続された抵抗１６，１７の接続点に外部接続端子Ｔ９が接続されるとともに、外部接続端子Ｔ３，Ｔ２間に直列接続された抵抗１８，１９の接続点に外部接続端子Ｔ１０が接続されている。
【００６５】
また実施形態２で説明した回路モジュール１ａ，１ｂにおいて、ダイオードＤ１のカソードにコンデンサ２０の一端を接続するとともに、コンデンサ２０の他端に第６の外部接続端子Ｔ６を接続してもよい。この場合、回路モジュール１ａ，１ｂは検出点として第６〜第１０の外部接続端子Ｔ６〜Ｔ１０を備えることになるが、これらの検出点を全て備える必要はなく、これらのうちの１乃至複数を備えるものでもよい。
【００６６】
ところで、図４〜図６には回路モジュール１のみの回路構成が示されているが、回路モジュール１が備える外部接続端子は、回路モジュール１を組み合わせて電源装置２を構成する際に出来る限り短い配線で接続できるように、基板上に配置されることが好ましい。そのため、同一の外部接続端子を複数個、配置を変えて設けたり、回路モジュール１の対向する辺まで配線パターンを延長して外部接続端子を基板の端部に配置してもよく、外部接続端子の個数や配置を適宜設計することで、追加の配線を減らすことができる。
【００６７】
（実施形態４）
本発明の実施形態４について図７〜図１１に基づいて説明する。実施形態１〜３で説明した電源装置２では、入力側の第１回路モジュールと出力側の第２回路モジュールをそれぞれ１つの回路モジュール１ａ，１ｂで構成している。それに対して、本実施形態の電源装置２では、図７のブロック図に示されるように、出力側の第２回路モジュールが１つの回路モジュール１Ａで構成され、入力側の第１回路モジュールが複数の回路モジュール１ａ〜１ｎで構成されている。尚、本実施形態では入力側の第１回路モジュールには、１ａ，１ｂ，…，１ｎのように小文字のアルファベットを付けて表記し、出力側の第２回路モジュールには１Ａのように大文字のアルファベットを付けて表記してある。
【００６８】
図８は、本実施形態の電源装置２の具体回路を示す回路図である。この電源装置２では、図２に示す電源装置２と同様、入力側の第１回路モジュールで昇圧チョッパを、出力側の第２回路モジュールで降圧チョッパを構成しているが、入力側の第１回路モジュールを複数の回路モジュールで構成した点が図２の回路と相違する。
【００６９】
入力側の複数の回路モジュール１ａ，１ｂ，…，１ｎは同じ構成を有しているので、回路モジュール１ａで回路構成を説明し、他の回路モジュール１ｂ，…，１ｎについては説明を省略する。入力側の回路モジュール１ａは、実施形態１で説明した回路モジュール１に対し、スイッチング素子１３ａと外部接続端子Ｔ４ａの間に駆動回路６ａが追加され、さらに外部接続端子Ｔ３ａ，Ｔ２ａ間にコンデンサ２０ａが追加されている。また出力側の回路モジュール１Ａは、実施形態１で説明した回路モジュール１に対し、スイッチング素子１３Ａと外部接続端子Ｔ４Ａの間に駆動回路６Ａが追加されている。尚、追加された駆動回路及びコンデンサ以外の構成は実施形態１の回路モジュール１と同様であるので、共通する構成要素には同一の符号を付して、その説明は省略する。
【００７０】
この電源装置２は、入力側に、それぞれ昇圧チョッパを構成する回路モジュール１ａ，１ｂ，…，１ｎを複数備えており、各回路モジュール１ａ，１ｂ，…，１ｎは互いに並列接続されている。そして、制御回路５ａから各回路モジュール１ａ，１ｂ，…，１ｎの外部接続端子Ｔ４ａ，Ｔ４ｂ，…，Ｔ４ｎに制御信号Ｓ１ａ，Ｓ１ｂ，…，Ｓ１ｎをそれぞれ送信することで、各回路モジュール１ａ，１ｂ，…，１ｎの動作が個別に制御されている。
【００７１】
次に、入力側の回路モジュールの数を３個とした場合の電源装置２の動作について図９（ａ）〜（ｇ）の波形図を参照して説明する。尚、図９（ａ）〜（ｃ）は、それぞれ、駆動回路６ａ，６ｂ，６ｃに入力される制御信号Ｓ１ａ，Ｓ１ａ，Ｓ１ｃの波形図である。図９（ｄ）〜（ｆ）は、それぞれ、インダクタ１１ａ，１１ｂ，１１ｃに流れる電流の波形図であり、図９（ｇ）は整流器ＤＢ１から入力される入力電流Ｉ１の波形図である。
【００７２】
制御回路５ａは、各回路モジュール１ａ，１ｂ，１ｃのオン／オフを個別に切り替える制御信号Ｓ１ａ，Ｓ１ｂ，Ｓ１ｃを出力し、この制御信号Ｓ１ａ，Ｓ１ｂ，Ｓ１ｃに応じて駆動回路６ａ…がスイッチング素子１３ａ…をオン／オフさせる。そして、各回路モジュール１ａ〜１ｃでは、スイッチング素子１３ａ…がオン／オフすることによって、実施形態１で説明したように昇圧チョッパとして動作する。尚、昇圧チョッパとしての回路動作は実施形態１で説明したのと同様であるから、その説明は省略する。
【００７３】
ここで、制御回路５ａは、各回路モジュール１ａ，１ｂ，１ｃに出力する制御信号Ｓ１ａ，Ｓ１ｂ，Ｓ１ｃの位相をずらして発生しており、これによりインダクタ１１ａ，１１ｂ，１１ｃに流れる電流のピーク値を分散させることができる。整流器ＤＢ１からの入力電流Ｉ１は、インダクタ１１ａ，１１ｂ，１１ｃに流れる電流の合成電流となるので、インダクタ１１ａ，１１ｂ，１１ｃに流れる電流のピーク値をずらすことで、合成電流Ｉ１が平均的な電流値となる。このため、例えば図９（ｇ）の電流波形は、インダクタ１１ａ，１１ｂ，１１ｃに流れる電流波形を単純にｎ倍した波形とはならず、ピーク値が低減されるとともに、交流電源３からの入力電流に含まれるリップル成分を低減できる。また、入力電流のピーク値やリップル成分を低減することで、回路部品に加わるストレスを低減でき、また図示しない入力フィルタや整流器ＤＢ１の定格を小さくできるから、回路の小型化を図ることができる。
【００７４】
ここにおいて、入力電流に含まれるリップル成分を最小にするためには、回路モジュールの数がＮ個の場合、スイッチング素子のオン／オフの１周期に対して、各回路モジュールに与える制御信号の位相を、（３６０／Ｎ）度ずつずらせばよい。ここで、制御信号の位相をずらすタイミングは、例えば制御回路５ａを構成するマイコンのタイマ機能を利用すれば、容易に決定することができる。尚、回路モジュールの個数が３個の場合は、制御信号Ｓ１ａ，Ｓ１ｂ，Ｓ１ｃの位相を、３６０／３＝１２０（度）ずつずらせばよい。図９に示すように、制御信号Ｓ１ａ，Ｓ１ｂ，Ｓ１ｃの立ち上がりのタイミングｔ１，ｔ２，ｔ４や、立ち下がりのタイミングｔ３，ｔ５，ｔ７は、位相を約１２０度ずれるように設定されている。
【００７５】
ここで、図１０は入力側の回路モジュール１ａ，１ｂ，１ｃと出力側の回路モジュール１Ａの実装方法を説明する分解斜視図である。入力側の回路モジュール１ａ〜１ｃ及び出力側の回路モジュール１Ａは、共に、矩形板状の回路基板３０を備え、回路基板３０の一面にインダクタ１１，ダイオード１２，スイッチング素子１３などの回路部品が実装されている。そして、各回路基板３０の４辺のうち、互いに対向する２辺には、上述した外部接続端子Ｔ１〜Ｔ５のうち何れかの外部接続端子を構成する端子３２が配置されている。
【００７６】
各回路モジュール１ａ〜１ｃ，１Ａの端子３２は互いに連結可能となっており、図１０に矢印で示した端子３２同士を接続することで、複数の回路モジュール１ａ〜１ｃ及び１Ａの間が電気的に接続されることになる。尚、入力側の回路モジュール１ａ〜１ｃと出力側の回路モジュール１Ａは、例えば回路基板３０の接続方向を反対向きにすることで、同一の回路モジュールを使用できるように設計することも可能である。
【００７７】
この電源装置２が、光源として有機ＥＬを用いる薄型の照明器具に使用される場合、光出力（負荷容量）を増加させるためには、面状光源の面積を増やす必要があり、照明器具が平面方向に広がることになる。負荷容量を増やすためには、電源装置２を構成する回路モジュールの数を増やす必要があるが、図１０に示すように回路モジュール１を平面方向に増設することで、負荷容量の増加に対応できるので、器具本体が平面方向に広がる場合には好適であり、照明器具の薄型化を実現できる。尚、光源が発光ダイオードのような固体発光素子の場合でも、発光ダイオードの個数を増やすことで光出力を増加させる場合には、器具本体が平面方向に広がることになるので、回路モジュール１を平面方向に増設することによって、薄型でありながら光出力を増大させた照明器具を実現できる。
【００７８】
ところで、上述の電源装置２では第１回路モジュールを複数の回路モジュールで構成しているが、図１１に示すように、電源側の第１回路モジュールは１つの回路モジュール１ａで構成し、負荷側の第２回路モジュールを複数の回路モジュール１Ａ，１Ｂ，…，１Ｎで構成しても良い。この場合にも、出力側の制御回路５ｂが、各回路モジュール１Ａ，１Ｂ，…，１Ｎの駆動回路に出力する制御信号Ｓ２Ａ，Ｓ２Ｂ，…Ｓ２Ｎの位相をずらすことで、電源側からの入力電流を平均化できる。したがって、入力電流のピーク値やリップル成分が低減されるから、入力フィルタ（図示せず）や整流器ＤＢ１の定格を小さくでき、回路の小型化を図ることができる。ここにおいて、入力電流のピーク値やリップル成分を最小にするためには、第２回路モジュール１Ａ，１Ｂ，…，１Ｎの数がＮ個の場合、スイッチング素子のオン／オフの１周期に対して、各回路モジュール１Ａ，１Ｂ，…，１Ｎに与える制御信号の位相を、（３６０／Ｎ）度ずつずらせばよい。
【００７９】
尚、出力側の制御回路５ｂでは、外部から入力される調光信号に応じて、各回路モジュール１Ａ，１Ｂ，…，１Ｎが備えるスイッチング素子のオン／オフ期間を制御するようにしてもよい。
【００８０】
（実施形態５）
本発明に係る照明器具の実施形態を図１２に基づいて説明する。
【００８１】
この照明器具は、縦横の寸法に比べて厚み寸法が小さい直方体状の器具本体４０を有し、器具本体４０の厚み方向における一面に、有機ＥＬのような面状光源４１が縦横に一定の間隔を開けて配置されている。この器具本体４０には、実施形態１〜４で説明した電源装置２の何れかが収納されており、電源装置２により面状光源４１を点灯させることができる。上述のように電源装置２は回路モジュール１を共通化することで、回路部品の種類を削減しているので、回路部品の種類を削減した照明器具を実現できる。また、上述のように電源装置２を薄型にできることから、薄型の照明器具を提供することができる。
【００８２】
尚、本実施形態では光源が有機ＥＬのような面状光源４１で構成されているが、負荷である固体発光素子は有機ＥＬに限定されるものではなく、発光ダイオードのような固体発光素子を光源としても良い。
【符号の説明】
【００８３】
１ａ〜１ｎ  回路モジュール
２  電源装置
３  交流電源
４  負荷回路
１１  インダクタ
１２  ダイオード
１３  スイッチング素子
Ｔ１  第１の外部接続端子
Ｔ２  第２の外部接続端子
Ｔ３  第３の外部接続端子
Ｔ４  第４の外部接続端子
【図１】
0005584571.tif 000002
【図２】
0005584571.tif 000003
【図３】
0005584571.tif 000004
【図４】
0005584571.tif 000005
【図５】
0005584571.tif 000006
【図６】
0005584571.tif 000007
【図７】
0005584571.tif 000008
【図８】
0005584571.tif 000009
【図９】
0005584571.tif 000010
【図１０】
0005584571.tif 000011
【図１１】
0005584571.tif 000012
【図１２】
0005584571.tif 000013
【図１３】
0005584571.tif 000014